(57)【要約】【課題】複数の装置を仮想的な一装置として実現する構成においても、警報抑止を実現可能とするための装置、方法の提供。            【解決手段】少なくとも１つの主信号パッケージ１０と、主信号パッケージ１０に装置内バス４０を介して接続され、他の監視制御パッケージ２０とは装置間通信バス６０を介して接続される監視制御パッケージと、を備えたエレメントを複数有し、一のエレメントＡの監視制御パッケージ２０の監視対象の前記主信号パッケージ１０での障害発生時、前記主信号パッケージから警報を収集し、前記マスク先の主信号パッケージが属する下流のエレメントＢの監視制御パッケージ２０に対して、装置間通信バス６０を用いて、警報をマスクする制御信号を伝達し、エレメントＢの監視制御パッケージ２０は、エレメントＢのマスク先の主信号パッケージに警報をマスクする制御信号を通知し、前記マスク先の主信号パッケージ１０では前記マスク制御情報を受け取ると、二次障害検出時、二次障害の警報を抑止する。      【選択図】図１
2010041214.tif 000002
【特許請求の範囲】
【請求項１】
少なくとも１つの主信号パッケージと、
前記主信号パッケージを監視し、他のエレメントの監視制御パッケージとは装置間バスを介して接続される監視制御パッケージと、
を備えたエレメントを複数有し、
一のエレメント内の監視制御パッケージは、監視対象の前記主信号パッケージでの障害発生時、前記主信号パッケージから警報を収集し、マスク先の主信号パッケージが属する他のエレメントの監視制御パッケージに対して、前記装置間バスを用いて、警報をマスクする制御信号を伝達する、ことを特徴とする伝送装置。
【請求項２】
前記他のエレメント内の監視制御パッケージは、前記一のエレメント内の監視制御パッケージから前記装置間バスを介して伝達された前記制御信号を受けると、前記他のエレメント内のマスク先の主信号パッケージに対して、警報をマスクする制御信号を通知し、
前記他のエレメント内のマスク先の主信号パッケージでは、前記他のエレメント内の監視制御パッケージからの前記制御情報を受けた場合に、二次障害検出時、該二次障害の警報を抑止する、ことを特徴とする請求項１記載の伝送装置。
【請求項３】
前記警報を抑止する制御信号は、
警報のマスク情報、
警報の種類、及び、
障害発生箇所の情報、
を含む、ことを特徴とする請求項１又は２記載の伝送装置。
【請求項４】
前記一のエレメントの監視制御パッケージは、前記一のエレメント内の経路情報を前記他のエレメントの監視制御パッケージに装置間バスを介して伝達し、前記他のエレメントの監視制御パッケージ側で前記一のエレメントの前記主信号パッケージの接続関係を認識可能としている、ことを特徴とする請求項１乃至３のいずれか１項に記載の伝送装置。
【請求項５】
各エレメントの前記監視制御パッケージは、
ユーザ端末／上位監視システムと接続するインタフェースと、
前記ユーザ端末／上位監視システム側から設定される主信号の経路情報を記憶管理する経路管理部と、マスク要求情報を記憶し主信号の経路情報から、警報のマスク制御情報を生成する手段と、を備えた装置管理・制御部と、
装置内バスを介して前記主信号パッケージと通信を行う装置内バス通信部と、
前記装置間バスを介して前記監視制御パッケーと通信を行う装置間バス通信部と、
を備えている、ことを特徴とする請求項１乃至４のいずれか１項に記載の伝送装置。
【請求項６】
複数の前記エレメントが仮想的に一つの装置を構成し、
一のエレメントの主信号パッケージに障害が発生すると、前記主信号パッケージは、警報抑止のためのマスク要求情報を生成し、前記一のエレメントの監視制御パッケージに装置内バスを介して伝達し、
前記一のエレメントの監視制御パッケージにおいて、
前記装置管理・制御部は、前記主信号パッケージから装置内バスを介して伝送されたマスク要求情報を前記装置内バス通信部で受け、前記装置管理・制御部に通知し、
前記装置管理・制御部では、主信号の経路情報から、マスク先の主信号パッケージを判断し、マスク先の主信号パッケージが属する他のエレメントの監視制御パッケージに対する警報の通知を抑止するためのマスク制御情報を生成し、前記装置間バス通信部が、装置間バスを介して、前記他のエレメントの監視制御パッケージに送信し、
前記他のエレメントの監視制御パッケージにおいて、前記装置間バス通信部が、前記装置間バスを介して前記マスク制御情報を受け取ると、前記他のエレメントの前記装置内バスを介して、前記他のエレメントの前記主信号パッケージにマスク制御信号を通知し、
前記他のエレメントの前記主信号パッケージでは、マスク制御信号を受けた場合に、二次障害検出時、該二次障害の警報を抑止する、ことを特徴とする請求項５記載の伝送装置。
【請求項７】
前記監視制御パッケージに装置内バスを介して接続され、主信号の経路の切替を制御する経路制御部を備えている、ことを特徴とする請求項１乃至６のいずれか１項に記載の伝送装置。
【請求項８】
少なくとも１つの主信号パッケージと、前記主信号パッケージを監視し、他のエレメントの監視制御パッケージとは装置間バスを介して接続される監視制御パッケージと、を備えたエレメントを複数有し、
一のエレメントの監視制御パッケージは、監視対象の主信号パッケージでの障害発生時、前記主信号パッケージから警報を収集し、マスク先の主信号パッケージが属する他のエレメントの監視制御パッケージに対して、前記装置間バスを用いて、警報をマスクする制御信号を伝達する、ことを特徴とする伝送装置の分散管理方法。
【請求項９】
前記他のエレメントの監視制御パッケージは、前記他のエレメントの前記マスク先の主信号パッケージに警報をマスクする制御信号を通知し、
前記マスク先の主信号パッケージでは、前記マスク制御情報を受けた場合、二次障害検出時に、該二次障害の警報を抑止する、ことを特徴とする請求項８記載の伝送装置の分散管理方法。
【請求項１０】
前記警報を抑止する制御信号は、警報のマスク情報と、警報の種類及び障害発生箇所の情報を含む、ことを特徴とする請求項８又は９記載の伝送装置の分散管理方法。
【請求項１１】
主信号パッケージにそれぞれ装置内バスを介して接続される監視制御パッケージ装置であって、
装置間バスを介して他の監視制御パッケージ装置と通信を行う装置間バス通信部と、
前記主信号パッケージに障害が発生した場合、前記主信号パッケージで生成された警報抑止のためのマスク要求情報を、前記装置内バスを介して受け取る手段と、
主信号の経路情報から、マスク先の主信号パッケージを判断し、前記監視制御パッケージに対する警報の通知を抑止するためのマスク制御情報を生成する手段と、
前記マスク制御情報を、マスク先の主信号パッケージを監視する他の監理制御パッケージに対して、前記装置間バスを介して伝達する手段と、
を備えている、ことを特徴とする監視制御パッケージ装置。
【請求項１２】
ユーザ端末／上位監視システムと接続するインタフェースと、
前記ユーザ端末／上位監視システム側から設定される主信号の経路情報を記憶管理する経路管理部と、マスク要求情報を記憶し、主信号の経路情報からマスク制御情報を生成する手段と、を備えた装置管理・制御部と、
前記装置内バスを介して前記主信号パッケージと通信を行う装置内バス通信部と、
を備えている、ことを特徴とする請求項１１記載の監視制御パッケージ装置。
【発明の詳細な説明】
【技術分野】
【０００１】
本発明は、伝送装置及び分散管理方法に関し、特に警報制御に関する。
【背景技術】
【０００２】
伝送装置の大容量化・多機能化の要求に伴い、装置管理部が管理する主信号パッケージなどの数と種類は増加する傾向にある。管理対象が増えることで、装置管理部に求められる性能は高くなる。
【０００３】
規定時間内での処理実現のためＣＰＵ速度は高速化を求められ、種類や数の増えた管理対象を扱うために、動作メモリである揮発メモリや、データ保存に使用する不揮発メモリのサイズも大容量化を求められる。
【０００４】
一方、伝送装置の最大容量や全ての機能の実装を想定して設計することは不経済であり、顧客が求める初期投資のコスト削減と伝送装置の大容量化・多機能化の要求とは相反する。
【０００５】
【特許文献１】特開２００７−２５９３１６号公報
【発明の開示】
【発明が解決しようとする課題】
【０００６】
以下に本発明による分析を与える。
【０００７】
上記した伝送装置で問題となるのが警報抑止の機能である。本願出願人は先願（特願２００７−０７４９４２号）において、同一装置内の主信号パッケージ間の警報抑止について提案している。上記先願で提案される装置は、主信号パッケージに装置内バスを介して接続される監視制御パッケージを備え、監視制御パッケージは、装置内バスを用いて主信号パッケージで発生した障害に関する警報を収集し、障害の影響を受ける他の主信号パッケージに対して装置内バスを用いて、警報を抑止する制御信号を伝達する。
【０００８】
本願発明者は、引き続き鋭意研究した結果、エレメントの集合体として仮想的な一装置を実現する仮想装置においても、警報検出時、下流の各エレメントに対する警報抑止を実現可能とする構成を創案するに到った。
【０００９】
本発明の目的は、複数の装置を仮想的な一装置として実現する構成においても、警報抑止を実現可能とするための装置、方法を提供することにある。
【課題を解決するための手段】
【００１０】
本願で開示される発明は、上記課題を解決するため、概略以下の構成とされる。
【００１１】
本発明の１つの側面によれば、少なくとも１つの主信号パッケージと、前記主信号パッケージを監視し、他の監視制御パッケージとは装置間バスを介して接続される監視制御パッケージと、を備えたエレメントを複数有し、一のエレメント内の監視制御パッケージは、監視対象の前記主信号パッケージでの障害発生時、前記主信号パッケージから警報を収集し、マスク先の主信号パッケージが属する他のエレメントの監視制御パッケージに対して、前記装置間バスを用いて、警報をマスクする制御信号を伝達する装置、方法が提供される。本発明において、前記他のエレメント内の監視制御パッケージは、前記一のエレメント内の監視制御パッケージから前記装置間バスを介して伝達された前記制御信号を受けると、前記他のエレメント内のマスク先の主信号パッケージに対して、警報をマスクする制御信号を通知し、前記他のエレメント内のマスク先の主信号パッケージで、前記他のエレメント内の監視制御パッケージからの前記制御情報を受けると、二次障害検出時、警報を抑止する。
【発明の効果】
【００１２】
本発明によれば、複数の装置を仮想的な一装置として実現する構成においても、警報抑止を実現可能としている。
【発明を実施するための最良の形態】
【００１３】
本発明に係る伝送装置（基幹伝送装置）においては、一のエレメント内の監視制御パッケージは監視対象の主信号パッケージでの障害発生時、主信号パッケージから警報を収集しマスク先の主信号パッケージが属する他のエレメントの監視制御パッケージに対して装置間バスを用いて、警報をマスクする制御信号を伝達することで他のエレメント内での二次警報を抑止する。複数の装置を仮想的な一装置として機能実現することで、装置の管理対象となる主信号パッケージの数を減らし、装置管理部に求められる性能を低く抑えることを可能とする。より詳しくは、本発明は、一つの態様において、少なくとも１つの主信号パッケージ（１０）と、主信号パッケージ（１０）に装置内バス（４０）を介して接続され、他の監視制御パッケージ（２０）とは装置間通信バス（６０）を介して接続される監視制御パッケージと、を備えたエレメントを複数有し、一のエレメントＡの監視制御パッケージ（２０）の監視対象の前記主信号パッケージ（１０）での障害発生時、前記主信号パッケージから警報を収集し、前記マスク先の主信号パッケージが属する下流のエレメントＢの監視制御パッケージ（２０）に対して、装置間通信バス（６０）を用いて、警報をマスクする制御信号を伝達する。エレメントＢの監視制御パッケージ（２０）は、エレメントＢのマスク先の主信号パッケージに警報をマスクする制御信号を通知し、前記マスク先の主信号パッケージ（１０）で前記マスク制御情報を受け取ると、前記マスク先の主信号パッケージ（１０）での二次障害検出時、二次警報を抑止する。
【００１４】
なお、特許文献１には、エージェント装置（情報処理装置）が、障害を検知した場合には、当該障害のアラーム通知の非通知設定が行われているか否かを確認し、非通知設定が行われていないことを確認した場合に、マネージャ装置（ネットワーク管理装置）に対して当該障害のアラーム通知を送信するとともに、シグナルフロー上で下流に位置する他のエージェント装置に対して、当該障害に関連して発生する障害のアラーム通知の非通知設定を行うためのアラームマスク設定要求を送信するようにした構成が開示されている。特許文献１の構成は、１つのマネージャ装置によって監視される装置構成要素内における二次警報をマスクする構成が開示されており、特許文献１には、１つの監視制御パッケージと他の監視制御パッケージとでそれぞれ制御される装置の装置間での二次マスクを行う構成は一切開示されていない。
【００１５】
本発明は、
（１）基幹伝送装置における警報抑止機能、
（２）基幹伝送装置における経路情報を用いた警報抑止機能、
（３）基幹伝送装置における装置間警報抑止機能、
を提供する。
【００１６】
上記した先願（特願２００７−０７４９４２号）では、主信号を伝送する複数のパッケージで装置が構成される基幹伝送装置において、あるパッケージに障害が発生した場合に他のパッケージへ障害の影響が波及した結果、主要因警報（一次警報）の他に主要因以外の警報（二次警報）が発生することを防ぐ構成を提案した。この基幹伝送装置においては、主信号を伝送する複数のパッケージを監視する監視制御パッケージを備え、該監視制御パッケージと主信号パッケージとは、設定、警報、性能の各情報を伝達するための（通信バス（装置内バス）により接続されている。この通信バスを利用し、主信号パッケージに警報が発生した際に、監視制御パッケージが警報を収集し、その影響を受けるパッケージに対して、抑止信号を伝達することにより、二次警報を抑止する。
【００１７】
ＷＤＭ（Ｗａｖｅｌｅｎｇｔｈ  Ｄｉｖｉｓｉｏｎ  Ｍｕｌｔｉｐｌｅｘｅｒ）やＲＯＡＤＭ（Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）装置においては、主信号として光波長を伝送し、各主信号パッケージ間に電気インターフェースが存在しない装置構成をとりうる。このような場合においても、監視制御パッケージと主信号パッケージとの間の通信バスを利用することで、主信号パッケージ間に警報抑止専用の通信バスを設けることなく二次警報を抑止することが可能となる。
【００１８】
ＲＯＡＤＭ（Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）装置においては、波長の経路（Ａｄｄ，  Ｄｒｏｐ，  Ｔｈｒｏｕｇｈ，  Ｄｒｏｐ  ａｎｄ  Ｃｏｎｔｉｎｕｅ）を選択する機能を有する。経路の変更により、装置内の主信号パッケージの接続状態も変化し、二次警報の発生箇所も変化する。
【００１９】
本発明においては、監視制御パッケージが接続状態の変化を認識し、二次警報抑止を行うべきパッケージに対して、警報抑止の制御を行うことで、適切な警報抑止を行うことを可能とする。
【００２０】
近時、伝送装置の大容量化・多機能化の要求に伴い、複数装置を仮想的な一装置として機能実現することがある。分割された個々の装置をエレメント、エレメントの集合体である装置を「仮想装置」という。分割することにより、それぞれのエレメント内において管理対象となる主信号パッケージの数は少なくなり、装置管理部に求められる性能は低く抑えられるメリットがある。
【００２１】
本発明においては、エレメントとエレメントの間に通信バスを設け、この通信バスを利用することにより、エレメント間で警報状態の変化の検出および警報の抑止制御を行い、二次警報の抑止を実現する。以下実施例に即して説明する。
【実施例】
【００２２】
図１は、本発明の一実施例の構成を示す図である。図１には、仮想装置内の警報抑止機能を実現する装置構成が示されている。なお、図１では、説明の簡単のため、エレメントＡとその下流のエレメントＢの二つのエレメント構成が図示されているが、本発明は２つのエレメントに限定されるものでなく、３個以上のエレメントに対しても適用可能であることは勿論である。
【００２３】
エレメントＡ、エレメントＢは、装置全体を監視・制御する監視制御パッケージ（「監視制御部」ともいう）２０と複数の主信号パッケージ１０（主信号パッケージＡ、Ｂ、Ｃ）で構成される。監視制御パッケージ２０と主信号パッケージ１０は、装置内バス４０により接続される。
【００２４】
図１の例では、仮想装置は、エレメントＡおよびエレメントＢにより構成される。各エレメントの監視制御パッケージ２０は、装置外部インターフェース２１を備え、ユーザ端末や上位監視システムとそれぞれ接続する。なお、図１では、ユーザ端末や上位監視システムをユーザ端末／上位監視システム５０で表す。
【００２５】
装置外部インターフェース２１は、ユーザからの操作を受け、装置管理・制御部２２に伝える。
【００２６】
装置管理・制御部２２は、ユーザの指示に従い、装置を監視・制御する。
【００２７】
監視制御パッケージ２０は、装置内バス通信部２３を備え、主信号パッケージ１０との装置内通信を行う。
【００２８】
装置管理・制御部２２は、装置内通信により、主信号パッケージ１０から伝達されたマスク要求情報を保持するマスク要求情報→マスク制御情報生成部２５を備えている。装置管理・制御部２２の経路管理部２４は、主信号の経路情報を管理する。装置管理・制御部２２のマスク要求情報→マスク制御情報生成部２５は、経路管理部２４の主信号の経路情報から、マスク制御対象となるパッケージを判断し、マスク制御情報を生成する。装置管理・制御部２２は、マスク要求情報→マスク制御情報生成部２５で生成したマスク制御情報を、装置内バス通信部２３を用いて主信号パッケージ１０に伝達する機能を有する。
【００２９】
さらに、監視制御パッケージ２０は、装置間バス通信部２６を備えている。エレメントＡとＢの監視制御パッケージ２０は、装置間バス通信部２６により互いに接続され、監視制御パッケージ２０の装置管理・制御部２２は、装置間バス通信により、警報抑止に必要な情報を交換する。
【００３０】
主信号パッケージ１０は、主信号を処理・監視し、その障害を検出する機能を有する。主信号パッケージ１０は、装置内バス通信部１１を備え、監視制御パッケージ２０と通信を行う。主信号パッケージ１０は、主信号に障害が発生した場合、警報を監視制御パッケージ２０に通知する警報通知部１２と、二次障害の通知を抑止するためのマスク要求情報を生成し、監視制御パッケージに通知するマスク要求情報生成部１３を備えている。
【００３１】
エレメントＡの下流のエレメントＢにおいて、主信号パッケージ１０は、監視制御パッケージ２０から、装置内バス４０、装置内バス通信部１１を介して、マスク制御情報（二次障害の通知をマスクする制御信号）を受けた場合、自パッケージで検出している障害を監視制御パッケージ２０に通知することを抑止する警報マスク処理部１４を備えている。
【００３２】
経路制御部３０は、ユーザ端末／上位監視システム５０から経路制御操作が実施された場合、監視制御パッケージ２０を経由して、制御信号を受信し、その結果、主信号の経路を切り替える。
【００３３】
図１において、主信号に障害が発生した場合の一次警報通知および、二次警報通知の抑止機能について説明する。
【００３４】
エレメントＡの主信号パッケージ１０（「主信号パッケージＡ」という）において主信号に障害ａが発生した場合、パッケージ内の警報検出機能により警報を検出し、エレメントＡの監視制御パッケージ２０に通知する。
【００３５】
主信号パッケージＡにおいて、主信号に障害ａが発生した場合、主信号パッケージＡ内の警報検出機能により警報を検出し、エレメントＡの監視制御パッケージ２０（「監視制御パッケージＡ」という）に通知する。このとき、主信号パッケージＡでは、警報通知を行うとともに、障害ａの影響を受ける他の主信号パッケージにおける警報通知を抑止するための情報として、マスク要求情報を生成し、装置内バス４０を介して監視制御パッケージＡに通知する。
【００３６】
監視制御パッケージＡでは、経路管理部２４において、主信号の経路情報を管理することにより、主信号パッケージＡと、エレメントＢの主信号パッケージ１０（「主信号パッケージＢ」という）が、現在接続関係にあることを認識している。
【００３７】
主信号の経路は、ユーザ端末／上位監視システム５０からの操作により変更可能であり、主信号パッケージＡと、エレメントＢの他の主信号パッケージ１０（「主信号パッケージＣ」という）との接続に変更することも可能である。
【００３８】
特に制限されないが、以下では、主信号パッケージＡと主信号パッケージＢが接続関係にあるものとして説明する。すなわち、主信号パッケージＡから通知されたマスク要求情報は、経路接続関係から、主信号パッケージＢに伝達されるべきものである。
【００３９】
主信号パッケージＡに障害が発生した場合、下流に位置する主信号パッケージＢに影響が波及する可能性があり、二次障害を通知する可能性がある。障害要因の特定を容易にするためには、一次要因に限定して警報を通知する必要があり、二次要因の警報（二次警報）を抑止する必要がある。
【００４０】
監視制御パッケージＡと監視制御パッケージＢは、異なるエレメントＡ、Ｂにそれぞれ実装されているが、装置間バス６０を介した通信により、エレメントＡ内の経路情報をエレメントＢに、エレメントＢ内の経路情報をエレメントＡに伝達することにより、主信号パッケージＡと主信号パッケージＢの接続関係を認識する。前述したように、障害要因の特定を容易にするためには、一次要因に限定して、警報を通知する必要があり、二次要因の警報を抑止する必要がある。
【００４１】
監視制御パッケージＡは、主信号パッケージＡと主信号パッケージＢが接続関係にあることから、主信号パッケージＡから受信したマスク要求情報から主信号パッケージＢに伝達すべき情報として、マスク制御情報を生成する。
【００４２】
監視制御パッケージＡは、マスク制御情報を、装置間バス６０を介してエレメントＢの監視制御パッケージＢに伝達する。監視制御パッケージＡにおいては、マスク制御情報に、一次警報の種類、障害発生箇所の情報等を付加してエレメントＢの監視制御パッケージＢに伝達する。
【００４３】
監視制御パッケージＢは、監視制御パッケージＡより装置間バス６０を介して伝達されたマスク制御情報を主信号パッケージＢに装置内バス４０を介して伝達する。
【００４４】
主信号パッケージＢは、二次障害としての障害ｂを検出しているが、監視制御パッケージＢから伝達されたマスク制御情報を受信したことにより、警報マスク処理部１４にて通知を抑止し、その結果、監視制御パッケージＢに警報を通知することを行わない。
【００４５】
本実施例においては、監視制御パッケージＡは、マスク制御情報とともに、マスク要求元のエレメントの番号（例えばエレメント”Ａ”）を装置間バス６０を介してブロードキャストし、ブロードキャスト先の各エレメントの監視制御パッケージでは、自身の持つ径路情報から、受信したマスク制御情報を処理すべきか否かを判定する。例えばエレメントＡの主信号パッケージ１０においてλ１（波長番号１）の信号に障害があった場合、マスク制御情報として、エレメントＡにおけるλ１障害発生が通知される。この場合、エレメントＢが、λ１信号について、エレメントＡからＢへの接続を持つことが、径路情報から判断され、エレメントＢでは、主信号パッケージにおいて、λ１信号に生じた障害を検出した場合、二次障害として、警報のマスク処理を行う。
【００４６】
特に制限されないが、本実施例においては、監視制御パッケージで扱うマスク要求・マスク制御情報のフォーマットを共通化し、例えば上流障害と下流障害の対応（例えばトランスポンダーから入力しアンプに出力するという信号の流れ（入力・出力の対応関係）を示す二次元情報）と障害波長情報（波長番号）が用いられる。かかる構成により、パッケージ毎に障害検出の警報が相違し、それぞれの障害検出の警報に対応して、多くのパターンのマスク情報を処理することを不要としている。
【００４７】
以上の動作により、仮想装置内で主信号経路の選択が可能な基幹伝送装置においても適切な警報抑止を実現することが可能である。
【００４８】
本実施例によれば、二次要因で発生する障害通知を抑止することができる。これによりユーザに通知される警報は一次要因にのみ限定されることから、障害探索が容易となり、障害復旧までの時間が短縮される。
【００４９】
また、本実施例によれば、装置内に専用の警報抑止用のバスを設ける必要がなくなることから、装置のハードウェア構成が簡易となり、価格の低減が可能となる。
【００５０】
また、本実施例によれば、汎用的な機能実装であることから、装置の機能拡張への対応を容易化する。そして、本実施例においては、主信号系パッケージが必ず持つ装置内バスを用いていることから、将来新たに追加される主信号系パッケージにおいても、別途特殊な機能等を実装する必要なく、障害通知の抑止手段を提供することができる。
【００５１】
このように、本実施例においては、複数装置を仮想的な一装置として機能実現する場合において、二次要因の障害通知を抑止するものであり、この結果、装置管理部に求められる性能を低く抑えることを可能とし、顧客の初期投資コストを削減することが可能である。
【００５２】
次に、本発明の他の実施例について説明する。図２は、本発明の第２の実施例の構成を示す図である。本実施例においては、図１の経路制御部３０を持たない装置構成において、本発明による警報抑止を行う。
【００５３】
図２において、経路制御は、光パッチコードの接続を工事担当の人員が行う。本実施例では、装置管理・制御部２２において、経路情報を把握するために、ユーザ端末／上位監視システム５０から経路情報を設定する。
【００５４】
経路情報は，主信号の経路制御には使用されないが、警報抑止の経路を装置管理・制御部が認識するために用いられる。これにより、図１の構成と同様に、二次警報の通知抑止を実現することが可能である。
【００５５】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００５６】
【図１】本発明の第１の実施例の構成を示す図である。
【図２】本発明の第２の実施例の構成を示す図である。
【符号の説明】
【００５７】
１０  主信号パッケージ
１１  装置内バス通信部
１２  警報通知部
１３  マスク要求情報生成部
１４  警報マスク処理部
２０  監視制御パッケージ
２１  装置外部インタフェース
２２  装置管理・制御部
２３  装置内バス通信部
２４  経路管理部
２５  マスク要求情報→マスク制御情報生成部
２６  装置間バス通信部
３０  経路制御部
４０  装置内バス
５０  ユーザ端末／上位監視システム
６０  装置間バス
【図１】
2010041214.tif 000003
【図２】
2010041214.tif 000004